(57)【要約】【課題】外観見栄えが良好で掲載できる情報量が多く、プリンタでの印字適性に優れたラベル帳票を提供する。【解決手段】台紙１１−２上に上紙１１−１を貼合したシート体１１で構成することでラベル帳票Ｐの総厚を抑える。また、上紙１１−１には本票Ｐ１１と分離票Ｐ１２とを輪郭切り取り線１３を介して隣接した伝票片Ｐ１を備え、分離票Ｐ１２を除いた裏面領域に粘着剤層１５を設ける。一方、台紙１１−２には粘着剤層１５と対向する表面領域に剥離剤層２５を設け、輪郭切り取り線１３を囲んで台紙１１−２裏面から台紙１１−２表面まで到達する深さのハーフカット線２３を形成して、ハーフカット線２３内側の表面領域に情報記載欄１８を備えるものとする。これによりハーフカット線２３内側の領域を残したまま台紙１１−２を上紙１１−１から剥がして帳票Ｐを貼り付けることができ、分離票Ｐ１２を本票Ｐ１１から切り離した後に台紙１１−２の情報記載欄１８が現れて帳票Ｐの外観見栄えが向上するとともに情報記載量も増える。【選択図】図７
2005131874.tif 000002
【特許請求の範囲】
【請求項１】
台紙上に上紙が剥離可能に貼合された帳票であって、
前記上紙は、本票と分離票とが輪郭切り取り線で隣接された伝票片を備え、かつ前記分離票を除いた裏面領域に粘着剤層が設けられてなり、
前記台紙は、前記粘着剤層と対向する表面領域に剥離剤層が設けられ、かつ前記輪郭切り取り線を囲んで台紙裏面から台紙表面まで到達する深さのハーフカット線が形成されてハーフカット線内側の表面領域に情報記載欄を備えた
ことを特徴とするラベル帳票。
【請求項２】
請求項１に記載のラベル帳票において、
前記輪郭切り取り線は、カット部とアンカット部を有する通常ミシン線と、通常ミシン線のアンカット部に設けられたカット部とアンカット部を有するマイクロミシン線とからなる混合ミシン線である
ことを特徴とするラベル帳票。
【発明の詳細な説明】
【技術分野】
【０００１】
本発明は、特に通信販売業界，百貨店業界，運輸業界等で使用される配送伝票として好適なラベル帳票に関する。
【背景技術】
【０００２】
例えば注文を受けた通信販売業者が商品を配送する場合、商品の流通を管理する目的で商品を梱包したケースに配送伝票を貼付して発送している。
【０００３】
配送伝票としては図８に示す構造のものが一般的である。同図に示す配送伝票２は、貼付票２−１，配達票２−２，貼付片２−３の３つの紙片が切り取り線２ａ，２ａを介して隣接され、貼付票２−１と貼付片２−３の裏面に設けられた粘着剤層３でケース１に貼り付ける構造になっている（図８ａ参照）。そして、配送業者はケース１を配達すると、配送伝票２の配達票２−２に受取人の捺印またはサインをもらい、２本の切り取り線２ａ，２ａを切断し（図８ｂ参照）、配達票２−２を配送伝票２から切り離して配達控えとして持ち帰るものとしている（図８ｃ参照）。
【０００４】
また、配送伝票の他の例としては図９に示す構造のものも知られている。同図に示す配送伝票４は、貼付票４−１の領域内に配達票４−２が設けられていて、配達票４−２の輪郭をかたどった切り取り線４ａが形成され、配達票４−２を除いた貼付票４−１裏面に設けられた粘着剤層５でケース１に貼り付ける構造になっている（図９ａ参照）。
【０００５】
さらに、特許文献１には、上質紙からなる上紙と、上質紙の裏面に粘着剤を介して剥離紙を貼り合わせたタック紙とで構成された配送用帳票が開示されている。この配送用帳票は上紙に配送伝票部と通信シート部がハーフカット線を介して隣接され、上紙の裏面に擬似接着剤を介してタック紙が貼着された構造になっている。
【０００６】
【特許文献１】特開２００２−１２７６４４号公報
【発明の開示】
【発明が解決しようとする課題】
【０００７】
例示した従来の配送伝票によると以下のような問題点が指摘されている。
【０００８】
例えば、図８ｃに示すように、配達票２−２を切り離した後には貼付票２−１と貼付片２−３がケース１に貼り付いたまま残り、剥がした配達票２−２部分が欠落してケース１の地肌が露出するので、外観上決して見栄えの良いものではない。また、剥がした配達票２−２は配達業者に持ち帰られてしまうので、配達票２−２には受取人に伝達したい情報を載せることができず、配送伝票２に掲載できる情報量が少ないという欠点もある。
【０００９】
また、図９ｂに示すように、配達票４−２を斜め方向に無理に剥がそうとすると切り取り線４ａから外れてしまい、配達票４−２が途中で破損することがある。そこで、この配達票４−２を貼付票４−１から切り離し易くするために、図９ｃに示すようなミシン線を粗く（カット部を大きく）した切り取り線４ｂを形成した場合、今度は配達時にケース１を積み重ねるなどして外力が加えられると切り取り線４ｂが簡単にハチケてしまい、配達票４−２が配送伝票４から脱落するという不具合もある。
【００１０】
さらに、特許文献１に開示された配送用帳票の場合には、通信シート部に別途情報を載せることができるという利点があるものの、上紙の裏面に貼着するタック紙が高価なため帳票の作製コストが嵩むという欠点がある。また、上紙の裏面に上質紙，粘着剤，剥離紙という３層構造からなるタック紙を擬似接着剤で貼着する構造であるので、帳票の総厚が厚くなってトナーの定着性が悪い上に、帳票の腰が強くなり過ぎてしまいプリンタでの通紙性に支障を来たすという不具合がある。
【００１１】
本発明は、このような事情に鑑みてなされたもので、その目的とするところは、外観見栄えが良好で掲載できる情報量も多く、かつ帳票の総厚を抑えてプリンタでの印字適性に優れたラベル帳票を提供することにある。
【課題を解決するための手段】
【００１２】
本発明は、上記の目的を達成するために、台紙上に上紙が剥離可能に貼合された帳票であって、前記上紙は、本票と分離票とが輪郭切り取り線で隣接された伝票片を備え、かつ前記分離票を除いた裏面領域に粘着剤層が設けられてなり、前記台紙は、前記粘着剤層と対向する表面領域に剥離剤層が設けられ、かつ前記輪郭切り取り線を囲んで台紙裏面から台紙表面まで到達する深さのハーフカット線が形成されてハーフカット線内側の表面領域に情報記載欄を備えたことを特徴とするラベル帳票を提供するものである。
【００１３】
ここで、この発明において使用する台紙と上紙は、ともにレーザプリンタやインクジェットプリンタ等のノンインパクトプリンタや、熱転写プリンタあるいはドットインパクトプリンタ等による印字適性を備えた印刷用紙で構成されていることが好ましい。例えば上質紙，軽量コート紙，コート紙，アート紙等が使用でき、この中でも印字適性に優れた上質紙が好適である。
【００１４】
粘着剤層は、例えばアクリル系糊，ゴム系の天然ゴム糊，合成ゴム糊，あるいは天然ゴム糊と合成ゴム糊を混ぜ合わせた糊などの各種の糊類を用紙上に塗工することで形成でき、剥離剤層は、例えば主成分にシリコーン等の離型剤が含有された各種の紫外線硬化型インキを用紙上に印刷して乾燥させることで形成できる。
【００１５】
さらに、切り取り線とは、用紙にカット部とアンカット部を形成したミシン線のようにカッター等の刃具を使用しなくても用紙を切断できるようにした線のことをいい、ハーフカット線とは、用紙の厚み方向にかけてその用紙を完全には切断してしまわない深さの切り込みを入れた線のことをいう。
【００１６】
本発明のラベル帳票は台紙の上に上紙を貼合した構成であるので、帳票の総厚を薄く抑えることで安定したトナー定着性が得られ、帳票の腰が強くなり過ぎずプリンタでの通紙性を良好に維持できる。またハーフカット線の内側部分を残したまま台紙を上紙から剥がして帳票を貼り付けることで、分離票を切り離した部分に台紙の情報記載欄が現れて帳票の外観見栄えを良好に保つことができ、かつ帳票上に更なる情報を掲載することが可能になる。
【００１７】
また、本発明の一実施態様として、前記輪郭切り取り線は、カット部とアンカット部を有する通常ミシン線と、通常ミシン線のアンカット部に設けられたカット部とアンカット部を有するマイクロミシン線とからなる混合ミシン線であると良い。
【００１８】
ここで、マイクロミシン線とは、カット部とアンカット部の長さがそれぞれ１．０ｍｍ以下に設定されたミシン線のことを指し、カット部とアンカット部の長さがそれぞれ１．０ｍｍを超えるミシン線は通常ミシン線と定義する。
【００１９】
この構成によると、分離票の輪郭の途中に切断しにくいマイクロミシン線が点在することで通常ミシン線の切断が食い止められて配達時における分離票の脱落を防止でき、かつ分離票の輪郭の途中に切断し易い通常ミシン線が点在することで分離票の分離時には大きな力を必要とせずにミシン線の切断をスムーズに行うことができるという利点がある。
【発明の効果】
【００２０】
本発明に係るラベル帳票によると、台紙上に上紙を貼合した構成であり、帳票の総厚を薄くできかつ帳票の腰が強くなり過ぎないので、安定したトナー定着性が得られるとともにプリンタでの通紙性を良好に維持できるという効果を有する。
【００２１】
また、高価なタック紙を貼着する構成でもないため、作製コストを低減できるという効果を有する。
【００２２】
さらに、切り離される分離票の部分に台紙を残したまま帳票を貼り付けることができるので、分離票を剥がした後の帳票の外観見栄えを向上させることができるとともに帳票上に更なる情報を掲載できるという効果を有する。
【発明を実施するための最良の形態】
【００２３】
以下、本発明の実施の形態について、添付図面を参照しながら詳細に説明する。
【００２４】
図１に示すように、本実施形態のラベル帳票Ｐは、通信販売業者や百貨店業者が商品を配送する際に、商品を梱包したケースに貼り付けて商品管理を行う配送伝票として使用される。このラベル帳票Ｐは、上質紙を使用した上紙１１−１と、同じく上質紙を使用した台紙１１−２を重ね合わせて貼合したシート体１１で構成されており、シート体１１上に伝票片Ｐ１と帳票片Ｐ２を備えている。
【００２５】
図２に示すように、上紙１１−１は矩形状に成形され、その略中央部分を縦断して上紙表面から上紙裏面まで到達する深さの境界切り取り線１２が形成されている。上紙１１−１は境界切り取り線１２を介して伝票片Ｐ１と帳票片Ｐ２が分割可能に隣接されている。
【００２６】
伝票片Ｐ１はさらに本票Ｐ１１と分離票Ｐ１２の２つの伝票に区画され、本票Ｐ１１が配送伝票の貼付票に、分離票Ｐ１２が配送伝票の配達票になる。つまり分離票Ｐ１２の周囲は輪郭切り取り線１３で囲まれていて、この輪郭切り取り線１３を切断することで本票Ｐ１１から分離票Ｐ１２が切り離される。上紙１１−１の裏面側には、この分離票Ｐ１２を除いた領域に粘着剤層１５が全面塗工されている（図２ｂ参照）。
【００２７】
また、分離票Ｐ１２にはその角部を切り落として輪郭切り取り線１３に繋がるコーナーカット部１４が形成されていて、分離票Ｐ１２の端部を摘まんで輪郭切り取り線１３を切断し易くなっており、分離票Ｐ１２の破損を防ぐことができる。
【００２８】
さらに、輪郭切り取り線１３の形状としては図３に示すような特殊形状のミシン線を採用している。このミシン線は通常ミシン線１３−１と、通常ミシン線１３−１よりもピッチの細かなマイクロミシン線１３−２とからなる混合ミシン線である。
【００２９】
本実施形態では、分離票Ｐ１２の大きさが縦９４ｍｍ，横１００ｍｍの矩形状に成形されていて、通常ミシン線１３−１とマイクロミシン線１３−２の長さはそれぞれ次のように設定されている。通常ミシン線１３−１はカット部１３−１ａとアンカット部１３−１ｂで構成されており、カット部１３−１ａの長さが７．０ｍｍ，アンカット部１３−１ｂの長さが４．０ｍｍに設定されている。マイクロミシン線１３−２は通常ミシン線１３−１のアンカット部１３−１ｂ上に設けられたカット部１３−２ａとアンカット部１３−２ｂで構成されており、カット部１３−２ａの長さが１．０ｍｍ以下，アンカット部１３−２ｂの長さが０．６ｍｍ以下で、かつ両者を組み合わせたミシン線全体の長さが２．０〜４．０ｍｍの範囲内に設定されている。
【００３０】
なお、コーナーカット部１４を除く分離票Ｐ１２の隅部は１．０ｍｍのカット部になっている。
【００３１】
このように、輪郭切り取り線１３の形状として通常ミシン線１３−１とマイクロミシン線１３−２を交互に配置した混合ミシン線を採用したのは次のような理由による。
【００３２】
すなわち、輪郭切り取り線１３を通常ミシン線のようにカット部が大きなミシン線のみで構成すると、小さな外力が加えられただけで輪郭切り取り線１３が簡単にハチケてしまい、分離票Ｐ１２が本票Ｐ１１から脱落することがある。逆に輪郭切り取り線１３をマイクロミシン線のようにカット部が小さなミシン線のみで構成すると、輪郭切り取り線１３を切断するために大きな力が必要になり、無理に剥がそうとするとミシン線から外れてしまい、分離票Ｐ１２が破損することがある。
【００３３】
これに対して、本実施形態のように輪郭切り取り線１３に混合ミシン線を採用することで、分離票Ｐ１２の輪郭の途中にマイクロミシン線１３−２が点在することになり、通常ミシン線１３−１がハチケてもマイクロミシン線１３−２でそれ以上の切断が食い止められるので、配達時における分離票Ｐ１２の脱落を防止できる。加えて、分離票Ｐ１２の輪郭の途中には通常ミシン線１３−１も点在するので、分離票Ｐ１２の分離時には大きな力を加えなくてもミシン線の切断をスムーズに行うことができる。
【００３４】
図４に示すように、台紙１１−２は上紙１１−１と等しい大きさに成形され、上紙１１−１の境界切り取り線１２に相当する位置には通常ミシン線で形成された境界切り取り線２６が設けられている。台紙１１−２はこの境界切り取り線２６を介して伝票片Ｐ１と帳票片Ｐ２が分割可能に隣接されている。
【００３５】
また、このラベル帳票Ｐでは、上紙１１−１と台紙１１−２を貼り合わせたときに上紙１１−１の境界切り取り線１２と台紙１１−２の境界切り取り線２６とが互いにずれてしまった場合であっても、伝票片Ｐ１と帳票片Ｐ２との分離作業が確実に行われるようにしてある。すなわち、境界切り取り線２６に沿って略０．５ｍｍ程度ずらした位置に台紙１１−２の裏面から表面まで到達する深さの切り込みを形成した境界ハーフカット線２７が設けられている。境界切り取り線２６と境界ハーフカット線２７は、そのいずれか一方が設けられていれば良く、またその双方が設けられていても構わない。なお、上紙１１−１と台紙１１−２を貼り合わせた後に境界切り取り線１２を形成する作製手順を採用した場合には、上紙１１−１と台紙１１−２において切り取り線がずれることはないので境界ハーフカット線２７は必ずしも必要ではなくなる。
【００３６】
台紙１１−２の伝票片Ｐ１には、分離票Ｐ１２の外形寸法よりも大きな輪郭を持つ輪郭ハーフカット線２３が設けられている。すなわち、この輪郭ハーフカット線２３は、上紙１１−１の輪郭切り取り線１３を囲んで台紙１１−２裏面から台紙１１−２表面まで到達する深さの切り込みを形成したものである。また、台紙１１−２の表面側には、上紙１１−１の粘着剤層１５と対向する部位、つまり分離票Ｐ１２を除いた領域に剥離剤層２５が塗工されている。この剥離剤層２５は、上紙１１−１の裏面に塗工された粘着剤層１５との接着力を弱めて上紙１１−１から台紙１１−２を剥がし易くするためのものである。
【００３７】
なお、上紙１１−１から台紙１１−２を剥がし易くする手段としては、図６に示すように、上紙１１−１裏面にある粘着剤層１５の塗工パターンを全面塗工に替えて点糊状に塗工して、粘着剤層１５の接着力を減少させることも考えられる。
【００３８】
このように構成された台紙１１−２の上に上紙１１−１を重ね合わせて加圧すると、上紙１１−１と台紙１１−２との用紙間の構造は図５のようになる。
【００３９】
伝票片Ｐ１の本票Ｐ１１では、上紙１１−１裏面に塗工された粘着剤層１５と台紙１１−２表面に塗工された剥離剤層２５が接触して、上紙１１−１と台紙１１−２が剥離可能に接着される。一方、伝票片Ｐ１の分離票Ｐ１２では、上紙１１−１裏面に粘着剤層１５が塗工されていないので、台紙１１−２の上に上紙１１−１が重なっただけの状態になっている（図５ａ参照）。
【００４０】
帳票片Ｐ２では、上紙１１−１裏面に塗工された粘着剤層１５と台紙１１−２表面に塗工された剥離剤層２５が接触して、上紙１１−１と台紙１１−２が剥離可能に接着された状態になっている（図５ｂ参照）。
【００４１】
このような構成からなるラベル帳票Ｐは、例えば商品管理を行うための配送伝票と、商品の明細票を一体化した帳票として使用できる。図１ａに示すように、伝票片Ｐ１が配送伝票になり、本票Ｐ１１と分離票Ｐ１２にはそれぞれ配送先，配送元，商品名の他に配達指定日や配達時間帯などの配送情報を記載する伝票記載欄１６が印刷される。また図１ｂに示すように、帳票片Ｐ２が明細票になり、明細票には商品番号，商品名，数量，金額などの商品情報を記載する帳票記載欄１７が印刷される。
【００４２】
さらに図４ａに示すように、台紙１１−２の分離票Ｐ１２に相当する部位には、受取人に伝達したい情報があらかじめ情報記載欄１８に印刷される。なお、この情報記載欄１８は配達時には分離票Ｐ１２によって隠蔽されているので秘匿情報を記載することも可能である。
【００４３】
続いて、本実施形態のラベル帳票の使用方法を説明する。
【００４４】
まず、商品の注文を受けた通信販売業者や百貨店業者は、図７ａに示すように伝票片Ｐ１の伝票記載欄１６と帳票片Ｐ２の帳票記載欄１７にそれぞれ所定事項を各種プリンタで印刷処理する。所定事項が印刷されたラベル帳票Ｐは、配送する商品とともに配送業者に委託される。
【００４５】
次に、配送業者は、図７ｂに示すように帳票記載欄１７に記載された所定事項を確認して、境界切り取り線１２を切断して伝票片Ｐ１と帳票片Ｐ２とを切り離す。ここで台紙１１−２の裏面側には境界切り取り線１２に相当する位置に境界切り取り線２６と境界ハーフカット線２７が形成されているので、上紙１１−１と台紙１１−２が破損することなく伝票片Ｐ１と帳票片Ｐ２を互いに分離できる。
【００４６】
次いで、配送業者は、図７ｃに示すように伝票片Ｐ１裏面の台紙１１−２をめくって輪郭ハーフカット線２３を切断し、輪郭ハーフカット線２３の内側部分を残して台紙１１−２を上紙１１−１から剥がす。ここで台紙１１−２は剥離剤層２５によって粘着力が弱められているので、上紙１１−１の粘着剤層１５から無理なく剥がすことができる。
【００４７】
さらに、図７ｄに示すように、裏面に露出した粘着剤層１５によって伝票片Ｐ１を商品梱包済みのケース１の外側に貼り付ける。この状態でケース１が配達される。貼り付けられた伝票片Ｐ１において、分離票Ｐ１２の輪郭切り取り線１３には切断しにくいマイクロミシン線１３−２が含まれているので、配達時に輪郭切り取り線１３に外力が加えられても分離票Ｐ１２が切り離されて脱落することはない。
【００４８】
配送業者はケース１を配達すると、伝票片Ｐ１の分離票Ｐ１２に受取人の捺印またはサインをもらう。そして、図７ｅに示すように分離票Ｐ１２のコーナーカット部１４に指を掛け分離票Ｐ１２の端部を摘まんで輪郭切り取り線１３を切断し、分離票Ｐ１２を本票Ｐ１１から分離して配達控えとして持ち帰る。ここで分離票Ｐ１２には粘着剤層１５が塗工されておらず台紙１１−２上に重なっているだけなので、台紙１１−２から簡単に切り離すことができる。また、輪郭切り取り線１３には上述したように切断し易い通常ミシン線１３−１が含まれているので、本票Ｐ１１と分離票Ｐ１２を互いに破損することなく分離できる。
【００４９】
分離票Ｐ１２を切り離した後のケース１は、図７ｆに示すように分離票Ｐ１２下面に台紙１１−２が残った状態になるので、図８ｃに示した配送伝票２のように分離票２−２部分が欠落してケース１の地肌部分が露出してしまうものに比べて分離後の外観見栄えを向上させることができる。また台紙１１−２の分離票Ｐ１２に相当する部位には、分離票Ｐ１２を切り離すことによって情報記載欄１８が現れるため、受取人に更なる情報を伝達することも可能である。
【００５０】
以上、本発明の実施形態を説明したが、上述した実施形態においては様々な変形が可能である。例えば、ラベル帳票Ｐの帳票片Ｐ２は、上紙１１−１裏面の粘着剤層１５と台紙１１−２表面の剥離剤層２５で剥離可能に接着したラベル形態になっているが、必要に応じて台紙１１−２表面の剥離剤層２５をなくして上紙１１−１と台紙１１−２を剥離不能に完全接着する構成を採用しても良い。また、ラベル帳票Ｐは印刷用紙からなる上紙１１−１と台紙１１−２を貼合したシート体１１で構成されているため、台紙１１−２裏面にもプリンタでの印字が可能であり、台紙１１−２裏面にある余白スペースに更なる情報を印刷することもできる。
【図面の簡単な説明】
【００５１】
【図１】本発明のラベル帳票を示す（ａ）表面側平面図，（ｂ）裏面側平面図。
【図２】上紙を示す（ａ）表面側平面図，（ｂ）裏面側平面図。
【図３】図２のＣ部拡大平面図。
【図４】台紙を示す（ａ）表面側平面図，（ｂ）裏面側平面図。
【図５】図１の（ａ）Ａ−Ａ線断面図，（ｂ）Ｂ−Ｂ線断面図。
【図６】粘着剤層の他の塗工例を示す断面図。
【図７】本発明のラベル帳票の使用方法を示す説明図。
【図８】従来の配送伝票の不具合を示す説明図。
【図９】従来の配送伝票の不具合を示す説明図。
【符号の説明】
【００５２】
Ｐ  ラベル帳票
Ｐ１  伝票片
Ｐ１１  本票
Ｐ１２  分離票
Ｐ２  帳票片
１１  シート体
１１−１  上紙
１１−２  台紙
１２  境界切り取り線
１３  輪郭切り取り線
１３−１  通常ミシン線
１３−１ａ  カット部
１３−１ｂ  アンカット部
１３−２  マイクロミシン線
１３−２ａ  カット部
１３−２ｂ  アンカット部
１４  コーナーカット部
１５  粘着剤層
１６  伝票記載欄
１７  帳票記載欄
１８  情報記載欄
２３  輪郭ハーフカット線
２５  剥離剤層
２６  境界切り取り線
２７  境界ハーフカット線
【図１】
2005131874.tif 000003
【図２】
2005131874.tif 000004
【図３】
2005131874.tif 000005
【図４】
2005131874.tif 000006
【図５】
2005131874.tif 000007
【図６】
2005131874.tif 000008
【図７】
2005131874.tif 000009
【図８】
2005131874.tif 000010
【図９】
2005131874.tif 000011